(57)【特許請求の範囲】
【請求項１】
画像データを回覧元から複数の回覧先を順次回覧送信していくようにしたファクシミリ通信方法であって、
回覧先において、回覧元または前の回覧先から画像データおよび回覧先カウント値を受信したときに、回覧先カウント値をカウントアップして、次の回覧先に送信し、回覧先カウント値が予め設定した所定値になったときに、回覧元に対して回覧送信が通過したことを通知するようにしたことを特徴とするファクシミリ通信方法。
【請求項２】
回覧先カウンタ値を、サブアドレス信号の一部を利用して送受信することを特徴とする請求項１のファクシミリ通信方法。
【請求項３】
回覧先カウンタ値を、暗証番号信号の少なくとも一部を利用して送受信することを特徴とする請求項１のファクシミリ通信方法。
【請求項４】
回覧先から回覧元へ回覧送信の通過を通知するときに、回覧先カウント値を通知することを特徴とする請求項１〜３のいずれか１項のファクシミリ通信方法。
【請求項５】
画像データを回覧元から複数の回覧先を順次回覧送信していくようにしたファクシミリ通信方法であって、
回覧ルート上の所定の回覧先について、予め回覧送信通過通知の設定をしておき、回覧送信通過通知の設定をした回覧先において、回覧元または前の回覧先から画像データを受信したときに、回覧元に対して回覧送信が通過したことを通知するようにしたことを特徴とするファクシミリ通信方法。
【請求項６】
回覧先から回覧元へ回覧送信の通過を通知するときに、回覧先の名称を通知することを特徴とする請求項１〜５のいずれか１項のファクシミリ通信方法。
【請求項７】
回覧元が、回覧先からの回覧送信通過の通知を受信したときに、回覧送信通過の情報を出力することを特徴とする請求項１〜６のいずれか１項のファクシミリ通信方法。
【請求項８】
画像データを回覧元から複数の回覧先を順次回覧送信していく際に、受信した画像データを次の回覧先に送信するために使用されるファクシミリ装置であって、
回覧元または前の回覧先から画像データおよび回覧先カウント値を受信したときに回覧先カウント値をカウントアップするカウントアップ手段と、受信した画像データおよびカウントアップした回覧先カウント値を次の回覧先に送信する送信手段と、回覧先カウント値が予め設定された所定値になったときに回覧元に対して回覧送信が通過したことを通知する回覧送信通過通知手段とを備えていることを特徴とするファクシミリ装置。
【請求項９】
送信手段が、サブアドレス信号の一部を利用して回覧先カウンタ値を送信することを特徴とする請求項８のファクシミリ装置。
【請求項１０】
送信手段が、暗証番号の少なくとも一部を利用して回覧先カウンタ値を送信することを特徴とする請求項８のファクシミリ装置。
【請求項１１】
回覧送信通過通知手段が、回覧元へ回覧送信の通過を通知するときに、回覧先カウント値を通知することを特徴とする請求項８〜１０のいずれか１項のファクシミリ装置。
【請求項１２】
画像データを回覧元から複数の回覧先を順次回覧送信していく際に、受信した画像データを次の回覧先に送信するために使用されるファクシミリ装置であって、
回覧元または前の回覧先から受信した画像データを次の回覧先に送信する送信手段と、回覧送信通過通知の設定がされている場合に画像データを受信したときに回覧元に対して回覧送信が通過したことを通知する回覧送信通過通知手段とを備えていることを特徴とするファクシミリ装置。
【請求項１３】
予め回覧送信通過通知の設定をしておくための回覧送信通過通知設定手段を備えていることを特徴とする請求項１２のファクシミリ装置。
【請求項１４】
回覧送信通過通知手段が、回覧元へ回覧送信の通過を通知するときに、自身の回覧先の名称を通知することを特徴とする請求項８〜１３のいずれか１項のファクシミリ装置。
【発明の詳細な説明】
【０００１】
【発明の属する技術分野】
本発明は、受信した画像データをチェーン式に順次次の回覧先へ送信していくようにした、いわゆる回覧送信を実現するファクシミリ通信方法、および、その際に、受信した画像データを次の回覧先へ送信するために使用される、回覧送信機能を有するファクシミリ装置に関する。
【０００２】
【従来の技術】
受信した画像データをチェーン式に順次次の回覧先へ送信していく回覧送信の基本的な機能を実現する典型的な従来技術として、特開平６−７８１２５号公報に記載されたものが知られている。
【０００３】
この従来技術では、画像データ、回覧先リスト等を含む回覧データを回覧元から複数の回覧先に順次回覧送信し、最後の回覧先が回覧元に回覧送信の完了を通知するようになっている。
【０００４】
しかしながら、上記の従来技術では、回覧先リストにしたがって順次画像データが転送され、また、回覧結果も画像データに添付して送信されるので、多数の回覧先がある場合には、回覧データが肥大化するという問題がある。
【０００５】
また、回覧元から最初の回覧先に回覧データが一旦送信されると、それ以降の回覧送信は、その回覧データを各回覧先で転送していくことにより行われ、たとえば回覧送信中に通信エラー等で回覧送信が中断したような際、それを回覧元に通知することになるが、それにはファクシミリ装置が自動的に通知する場合とユーザが電話等で通知する場合があり、確実に通知される保証はない。その上、回覧送信途中の回覧先に手動送受信のファクシミリ装置も加わる可能性があり、確実に回覧データが自動転送されるとは限らない。
【０００６】
上記の従来技術では、回覧元に対しては、最後の回覧先から回覧送信完了の通知がなされるだけであるから、回覧送信の途中で上記のような障害が発生した場合等、回覧元において、回覧送信の状況を把握できない場合がある。
【０００７】
このような問題点を解決する従来技術として、特開平１０−２１５３６３号公報に記載されているものが提案されている。
【０００８】
この従来技術では、画像データを回覧元から複数の回覧先を順次回覧送信していき、全ての回覧先において、回覧元または前の回覧先から画像データを受信したときに、回覧送信が通過したことを回覧元に通知することにより、回覧元が回覧送信の状況を把握できるようになっている。
【０００９】
【発明が解決しようとする課題】
ところが、上記の後者の従来技術の場合、回覧元は、全ての回覧先から回覧送信通過の通知を間断なく受信することになり、とくに回覧先の数が多い場合等、回覧元において、回覧送信通過の通知の受信のために回線が長時間にわたって占有されてしまい、他の緊急の通信ができないという不具合が発生する。
【００１０】
本発明の目的は、上記の問題を解決し、回覧元において回覧送信の状況を確実に把握することができ、しかも回覧送信通過の通知の受信のために回覧元の回線が長時間にわたって占有されることのないファクシミリ通信方法およびファクシミリ装置を提供することにある。
【００１１】
【課題を解決するための手段および発明の効果】
本発明によるファクシミリ通信方法は、画像データを回覧元から複数の回覧先を順次回覧送信していくようにしたファクシミリ通信方法であって、回覧先において、回覧元または前の回覧先から画像データおよび回覧先カウント値を受信したときに、回覧先カウント値をカウントアップして、次の回覧先に送信し、回覧先カウント値が予め設定した所定値になったときに、回覧元に対して回覧送信が通過したことを通知するようにしたことを特徴とするものである。
【００１２】
回覧先が画像データを受信するたびにカウントアップした回覧先カウント値が予め設定した所定値になったときに、回覧先から回覧元に回覧送信が通過したことを通知するので、回覧元において、回覧送信の状況を確実に把握することができる。また、上記所定値を適当に設定することにより、全ての回覧先から回覧送信通過の通知を行わずに、適当数の回覧先から回覧送信通過の通知を行うようにすることができ、それにより、回覧送信通過の通知の受信のために回覧元の回線が長時間にわたって占有されることをなくすことができる。
【００１３】
したがって、本発明のファクシミリ通信方法によれば、回覧元において回覧送信の状況を確実に把握することができ、しかも回覧送信通過の通知の受信のために回覧元の回線が長時間にわたって占有されることがない。
【００１４】
各回覧先において、回覧先カウント値が所定値になったかどうかの判断は、カウントアップの前に行ってもよいし、カウントアップの後に行ってもよい。
【００１５】
本発明のファクシミリ通信方法において、たとえば、回覧先カウンタ値を、サブアドレス信号の一部を利用して送受信する。あるいは、回覧先カウンタ値を、暗証番号信号の少なくとも一部を利用して送受信する。
【００１６】
これによれば、通信のために必要な信号を用いて回覧先カウント値を送受信することができ、回覧先カウント値送受信のために信号数が増すことがない。
【００１７】
本発明のファクシミリ通信方法において、たとえば、回覧先から回覧元へ回覧送信の通過を通知するときに、回覧先カウント値を通知する。
【００１８】
これによれば、回覧元において、回覧送信通過の通知とともに送信されてきた回覧先カウント値により、どの回覧先まで回覧送信が終了しているのかを把握することができる。
【００１９】
本発明によるファクシミリ通信方法は、また、画像データを回覧元から複数の回覧先を順次回覧送信していくようにしたファクシミリ通信方法であって、回覧ルート上の所定の回覧先について、予め回覧送信通過通知の設定をしておき、回覧送信通過通知の設定をした回覧先において、回覧元または前の回覧先から画像データを受信したときに、回覧元に対して回覧送信が通過したことを通知するようにしたことを特徴とするものである。
【００２０】
回覧送信通過通知の設定をした回覧先から回覧元に回覧送信が通過したことが通知されるので、回覧元において、回覧送信の状況を確実に把握することができる。また、適当な回覧先に回覧送信通過通知の設定をしておくことにより、全ての回覧先から回覧送信通過の通知を行わずに、適当数の回覧先から回覧送信通過の通知を行うようにすることができ、それにより、回覧送信通過の通知の受信のために回覧元の回線が長時間にわたって占有されることをなくすことができる。
【００２１】
したがって、本発明のファクシミリ通信方法によれば、回覧元において回覧送信の状況を確実に把握することができ、しかも回覧送信通過の通知の受信のために回覧元の回線が長時間にわたって占有されることがない。
【００２２】
本発明のファクシミリ通信方法において、たとえば、回覧先から回覧元へ回覧送信の通過を通知するときに、回覧先の名称を通知する。
【００２３】
これによれば、回覧元において、回覧送信通過の通知とともに送信されてきた回覧先の名称により、どの回覧先まで回覧送信が終了しているのかを直接的に把握することができる。
【００２４】
本発明のファクシミリ通信方法において、たとえば、回覧元が、回覧先からの回覧送信通過の通知を受信したときに、回覧送信通過の情報を出力する。
【００２５】
これによれば、出力された回覧送信通過の情報により、ユーザが回覧通信の状況を容易に確認することができる。
【００２６】
本発明によるファクシミリ装置は、画像データを回覧元から複数の回覧先を順次回覧送信していく際に、受信した画像データを次の回覧先に送信するために使用されるファクシミリ装置であって、回覧元または前の回覧先から画像データおよび回覧先カウント値を受信したときに回覧先カウント値をカウントアップするカウントアップ手段と、受信した画像データおよびカウントアップした回覧先カウント値を次の回覧先に送信する送信手段と、回覧先カウント値が予め設定された所定値になったときに回覧元に対して回覧送信が通過したことを通知する回覧送信通過通知手段とを備えていることを特徴とするものである。
【００２７】
画像データおよび回覧先カウント値を受信したときに、カウントアップ手段により、回覧先カウント値がカウントアップされ、回覧先カウント値が予め設定された所定値になったときに、回覧送信通過通知手段により、回覧元に対して回覧送信が通過したことが通知される。このため、回覧元において、回覧送信の状況を確実に把握することができる。また、上記所定値を適当に設定することにより、全ての回覧先から回覧送信通過の通知を行わずに、適当数の回覧先から回覧送信通過の通知を行うようにすることができ、それにより、回覧送信通過の通知の受信のために回覧元の回線が長時間にわたって占有されることをなくすことができる。
【００２８】
したがって、本発明のファクシミリ装置によれば、回覧元において回覧送信の状況を確実に把握することができ、しかも回覧送信通過の通知の受信のために回覧元の回線が長時間にわたって占有されることがない。
【００２９】
回覧送信通過通知手段は、回覧先カウント値が所定値になったかどうかの判断を、カウントアップの前に行ってもよいし、カウントアップの後に行ってもよい。
【００３０】
本発明のファクシミリ装置において、たとえば、送信手段が、サブアドレス信号の一部を利用して回覧先カウンタ値を送信する。あるいは、送信手段が、暗証番号信号の少なくとも一部を利用して回覧先カウンタ値を送信する。
【００３１】
これによれば、送信手段が、通信のために必要な信号を用いて回覧先カウント値を送信することができ、回覧先カウント値送信のために信号数が増すことがない。
【００３２】
本発明のファクシミリ装置において、たとえば、回覧送信通過通知手段が、回覧元へ回覧送信の通過を通知するときに、回覧先カウント値を通知する。
【００３３】
これによれば、回覧元において、回覧送信通過の通知とともに送信されてきた回覧先カウント値により、どの回覧先まで回覧送信が終了しているのかを把握することができる。
【００３４】
本発明によるファクシミリ装置は、また、画像データを回覧元から複数の回覧先を順次回覧送信していく際に、受信した画像データを次の回覧先に送信するために使用されるファクシミリ装置であって、回覧元または前の回覧先から受信した画像データを次の回覧先に送信する送信手段と、回覧送信通過通知の設定がされている場合に画像データを受信したときに回覧元に対して回覧送信が通過したことを通知する回覧送信通過通知手段とを備えていることを特徴とするものである。
【００３５】
画像データを受信したときに、回覧送信通過通知の設定がされていれば、回覧送信通過通知手段により、回覧元に対して回覧送信が通過したことが通知される。このため、回覧元において、回覧送信の状況を確実に把握することができる。また、適当な回覧先のファクシミリ装置に対して回覧送信通過通知の設定をしておくことにより、全ての回覧先から回覧送信通過の通知を行わずに、適当数の回覧先から回覧送信通過の通知を行うようにすることができ、それにより、回覧送信通過の通知の受信のために回覧元の回線が長時間にわたって占有されることをなくすことができる。
【００３６】
したがって、本発明のファクシミリ装置によれば、回覧元において回覧送信の状況を確実に把握することができ、しかも回覧送信通過の通知の受信のために回覧元の回線が長時間にわたって占有されることがない。
【００３７】
回覧送信通過通知の設定は、各ファクシミリ装置において個別に行われるようにしてもよいし、回覧送信される回覧データにおいて、所定の回覧先のファクシミリ装置に対して回覧送信通過通知の設定を行うようにしてもよい。
【００３８】
本発明のファクシミリ装置において、たとえば、予め回覧送信通過通知の設定をしておくための回覧送信通過通知設定手段を備えている。
【００３９】
これによれば、各ファクシミリ装置において回覧送信通過通知の設定を個別に行うことができる。
【００４０】
本発明のファクシミリ装置において、たとえば、回覧送信通過通知手段が、回覧元へ回覧送信の通過を通知するときに、自身の回覧先の名称を通知する。
【００４１】
これによれば、回覧元において、回覧送信通過の通知とともに送信されてきた回覧先の名称により、どの回覧先まで回覧送信が終了しているのかを直接的に把握することができる。
【００４２】
【発明の実施の形態】
以下、図面を参照して、本発明の実施形態について説明する。
【００４３】
図１は、回覧送信に使用されるファクシミリ装置の電気的構成の１例を示すブロック図である。
【００４４】
このファクシミリ装置は、たとえばグループ３（ＧＩＩＩ）の通信機能を有するものであり、図１に示すように、スキャナ（走査部）（１）、印字部（２）、操作表示部（３）、画像メモリ（４）、パラメータメモリ（５）、システムメモリ（６）、制御部（７）、符号化復号化部（ＤＣＲ）（８）、ＦＡＸモデム（９）、網制御装置（ＮＣＵ）（１０）等を備えている。
【００４５】
送信の場合、スキャナ（１）において原稿画像が所定の解像度で読み取られ、得られた画像データは、直接または必要に応じて画像メモリ（４）を介して、符号化復号化部（８）に与えられ、圧縮とともに符号化されて、モデム（９）に入力される。モデム（９）は、前記グループファクシミリのモデム機能を実現するためのものであり、伝送手順信号をやりとりするための低速モデム機能、および主に画像データをやりとりするための高速モデム機能を備えている。モデム（９）で圧縮符号化された画像データは、網制御装置（１０）により送信相手先との回線が確立されると、網制御装置（１０）を介して送信される。網制御装置（１０）は、ファクシミリ装置を公衆電話回線網に接続するためのものであり、自動発着機能を備えている。
【００４６】
一方、受信の場合、受信された画像データは、網制御装置（１０）からモデム（９）に入力され、符号化復号化部（８）において圧縮符号化されている状態から復号化され、直接または必要に応じて画像メモリ（４）を介して印字部（２）に送られ、所定の解像度で印字出力される。
【００４７】
画像メモリ（４）は、圧縮符号化された状態の画像データを多数記憶するためのものである。
【００４８】
上記のような各部の制御処理、および後述するような回覧送信機能を含むファクシミリ伝送制御処理の手順は、システムメモリ（６）に格納されており、これらの制御処理は、その手順に従って、制御部（７）により実行される。システムメモリ（６）は、上記の制御処理のためのプログラムとともに、そのプログラムを実行するときに必要な各種のデータ等を記憶しており、また、制御部（７）のワークエリアを構成している。
【００４９】
上記の制御部（７）による制御処理は、各種の操作キーおよび表示部からなる操作表示部（３）への入力操作に応答して行われ、また、この操作表示部（３）からファクシミリ送受信に必要な各種の設定やデータの入力が行われる。このようにして入力された設定値やデータは、パラメータメモリ（５）に記憶される。累積エラーライン数等も、ここに格納される。パラメータメモリ（５）には、また、前記グループファクシミリ装置に固有の各種の情報が記憶される。さらに、パラメータメモリ（５）は、後述する回覧ルートに関する設定値やデータ等の回覧送信モードの設定内容を記憶する回覧情報記憶部（１１）を備えている。
【００５０】
上記のファクシミリ装置の各部分は、それぞれシステムバス（１２）に接続されており、これら各部分間でのデータ等のやりとりは、主としてこのシステムバス（１２）を介して行われる。
【００５１】
このファクシミリ装置は、複数の回覧ルートの回覧送信に使用することができ、各回覧ルートにおいて、回覧元としても回覧先としても使用することができる。そのため、回覧ルートごとに、回覧元と回覧先の区別、その回覧ルートのグループＩＤ、次の回覧先の電話番号、回覧元の電話番号等が設定される。これらの設定は、上記の回覧情報記憶部（１１）に記憶される。
【００５２】
図２は、上記のファクシミリ装置を使用して回覧送信を行う場合のシステム構成を示している。
【００５３】
この場合、多数のファクシミリ装置（Ａ）（Ｂ１）（Ｂ２）（Ｂ３）…（Ｂｎ）があり、１つのファクシミリ装置（Ａ）が回覧元に設定され、他のファクシミリ装置（Ｂ１）〜（Ｂｎ）が回覧先に設定されることにより、回覧ルート（Ｒ）が形成されている。なお、必要に応じ、回覧先のファクシミリ装置は符号（Ｂ）で総称し、また、回覧元のファクシミリ装置（Ａ）を単に回覧元、回覧先のファクシミリ装置（Ｂ）を単に回覧先ということにする。
【００５４】
上記のような回覧ルート（Ｒ）が設定された場合、まず、回覧元（Ａ）が最初の回覧先（Ｂ１）に画像データを送信する。回覧先（Ｂ１）は、回覧先（Ｂ１）は、送信されてきた画像データを受信して、必要に応じてこれを画像メモリ（４）に記憶したり印字したりし、受信した画像データを次の回覧先（Ｂ２）に送信する。以後の回覧先（Ｂ２）〜（Ｂｎ）において同様の動作を繰り返すことにより、画像データが、回覧先（Ｂ３）〜（Ｂｎ）に順次回覧送信され、最後の回覧先（Ｂｎ）から回覧元（Ａ）に送信することで回覧送信を完了する。
【００５５】
図３は、回覧送信の送信手順の１例を示す図である。この例は、通信機械工業会のファクシミリ部会によってまとめられたファクシミリの使用を含むＦコード仕様に基づくものである。
【００５６】
ファクシミリ送信では、送信側（発呼側）からのＣａｌｌ（コーリングトーン）を受信すると、受信側（着呼側）はＮＳＦ（非標準機能信号）、ＣＳＩ（発呼端末識別信号）およびＤＩＳ（ディジタル識別信号）を送出する。
【００５７】
ここで、送信側は、ＤＩＳ内から、受信側にサブアドレス能力およびパスワード（暗証番号）能力ありの設定を検出すると、それに応答して、ＳＩＤ（パスワード信号）、ＳＵＢ（サブアドレス信号）、ＴＳＩ（送信端末識別信号）およびＤＣＳ（ディジタル命令信号）を送出して、後述するようにメモリボックスを指定する。なお、非標準による送信を行う場合は、ＮＳＳ（非標準機能設定信号）を送信する。
【００５８】
続いて、受信側は、ＴＣＦ（トレーニングチェック信号）を受信すると、ＣＦＲ（受信準備確認信号）を返信して、ＰＩＸ（画像データ）の受信を開始する。そして、ＥＯＰ（手順終了信号）を受信して、全ての画像データを受信したことを確認すると、ＭＣＦ（メッセージ確認信号）を返信し、ＤＣＮ（切断命令信号）を受けて、通信を終了する。
【００５９】
上記のＦコード仕様では、回覧送信機能の他にも、中継同報機能、親展機能、掲示板機能等を実現するために、上記のＳＩＤとＳＵＢによって指定されるメモリボックスが設定される。ＳＵＢのサブアドレスは、各メモリボックスに対して予め１対１に設定され、データの格納、参照、取り出し等のために各メモリボックスをアクセスするために用いられる。ＳＩＤのパスワードは、各メモリボックスに対して予め設定され、メモリボックスへのアクセスを制限するために用いられる。そして、ＳＵＢによってメモリボックスが指定されても、同時に送信されてきたＳＩＤのパスワードが、予め設定されたパスワードと一致しなければ、指定されたメモリボックスへのアクセスは禁止される。なお、パスワードは１つのメモリボックスに対して複数設定することもできるので、このような設定のときは、いずれかのパスワードが送信されてくれば、メモリボックスへのアクセスは許可される。
【００６０】
回覧送信の場合、ＳＵＢのサブアドレスとして、回覧ルートごとのグループＩＤが設定される。そして、回覧元（Ａ）または前の回覧先（Ｂ）から画像データ等を受信したときに、受信したＳＵＢに設定されているグループＩＤが自身に設定されていれば、受信した画像データ等を、そのグループＩＤの回覧ルートの次の回覧先（Ｂ）に転送する。
【００６１】
次に、図２および図４〜図１０を参照して、回覧送信の通信方法の１例について説明する。
【００６２】
図４は、回覧元（Ａ）から最初の回覧先（Ｂ１）へ送信するときの送信手順の１例を示す図である。図５は、回覧先（Ｂ）から回覧元（Ａ）へ回覧送信通過の通知をするときの送信手順の１例を示す図である。図６は、回覧元（Ａ）から最初の回覧先（Ｂ１）への送信処理の１例を示すフローチャートである。図７は、回覧先（Ｂ）における受信処理の１例を示すフローチャートである。図８は、回覧先（Ｂ）から次の回覧先（Ｂ）への送信処理の１例を示すフローチャートである。図９は、回覧先（Ｂ）から回覧元（Ａ）へ回覧送信通過の通知の送信処理の１例を示すフローチャートである。図１０は、回覧元（Ａ）における回覧送信通過の通知の受信処理の１例を示すフローチャートである。
【００６３】
この例では、使用する回覧ルートについて回覧先カウント機能が設定され、図４に示すように、ＳＵＢの一部が回覧先カウンタとして使用される。また、後述するように回覧送信通過の通知を行うかどうかの判断をするための値が設定されている。この設定値は、たとえば、回覧先通過通知を行う回覧先（Ｂ）の間隔の整数倍の値が設定される。あるいは、ランダムな値を設定して、回覧送信通過の通知を行う回覧先（Ｂ）を直接設定するようにしてもよい。回覧元（Ａ）は、回覧送信を行う場合、ＳＵＢにその回覧ルートのグループＩＤ（この例では“１２３４”）を設定するとともに、ＳＵＢの一部の回覧先カウンタに初期値を設定して、最初の回覧先（Ｂ１）に送信する。回覧先（Ｂ）では、回覧元（Ａ）または前の回覧先（Ｂ）から画像データおよび回覧先カウントを受信したときに、回覧先カウンタをカウントアップして、次の回覧先（Ｂ）に送信する。そして、回覧先カウンタのカウント値が予め設定された設定値になったときに、その回覧先（Ｂ）から回覧元（Ａ）に回覧送信通過の通知を行うようになっている。
【００６４】
回覧元（Ａ）では、図６のフローチャートに示すように、まず、最初の回覧先（Ｂ１）に対する所定の送信開始処理を行い（Ｓ１０）、ＳＵＢに回覧先カウンタの初期値（＝０００）を付加して送信し（Ｓ１１）、画像データを送信し（Ｓ１２）、処理を終了する。
【００６５】
回覧先（Ｂ）では、図７のフローチャートに示すように、着呼があるまでＳ２０で待機しており、着呼があると、回覧元（Ａ）または前の回覧先（Ｂ）からのＳＵＢを受信する（Ｓ２１）。そして、このＳＵＢに設定されているグループＩＤが自身に設定されているかどうかを調べ（Ｓ２２）、設定されていれば、Ｓ２３に進んで、回覧先カウンタ機能の設定があるかどうかを調べ、設定があれば、Ｓ２４に進んで、受信した回覧先カウンタのカウント値が上記の設定値になっているかどうかを調べる。Ｓ２４において、カウント値が設定値になっていれば、Ｓ２５に進んで、回覧送信通過通知の設定をし、Ｓ２６において、回覧先カウンタをカウントアップし、Ｓ２７において、画像データを受信して、処理を終了する。Ｓ２４において、カウント値が設定値になっていなかった場合は、そのままＳ２６に進む。また、Ｓ２２において、グループＩＤが設定されていなかった場合は、回覧送信ではないと判断し、Ｓ２８に進んで、通常受信の処理をし、Ｓ２７に進む。
【００６６】
回覧送信であった場合は、上記の受信処理の後、図８のフローチャートに示すように、次の回覧先（Ｂ）に対する送信処理が行われる。
【００６７】
図８において、まず、そのときのグループＩＤについて設定されている次の回覧先（Ｂ）に対して、所定の送信開始処理を行う（Ｓ３０）。そして、上記のようにカウントアップした回覧先カウンタをＳＵＢに付加して送信し（Ｓ３１）、その後、画像データを送信して（Ｓ３２）、処理を終了する。
【００６８】
また、回覧送信であった場合で、図７のＳ２５において回覧送信通過通知の設定がされていた場合は、上記の次の回覧先（Ｂ）への送信の後、図５の送信手順および図９のフローチャートに示すように、回覧元（Ａ）に対して、回覧送信通過の通知を行う。
【００６９】
図９において、まず、そのときのグループＩＤについて設定されている回覧元（Ａ）に対して、所定の送信開始処理を行う（Ｓ４０）。そして、上記のようにカウントアップした回覧先カウンタをＳＵＢに付加して送信する（Ｓ４１）。
【００７０】
回覧元（Ａ）では、図１０に示すように、着呼があるまでＳ５０で待機しており、着呼があると、回覧先（Ｂ）からのＳＵＢを受信する（Ｓ５１）。そして、このＳＵＢに設定されているグループＩＤが自身に設定されているかどうかを調べ（Ｓ５２）、設定されていれば、Ｓ５３に進んで、受信したＳＵＢの中の回覧先カウンタの部分を抽出して、メモリに保存する。そして、回覧送信状況の出力の設定があるかどうかを調べ（Ｓ５４）、設定があれば、Ｓ５５に進んで、回覧先カウンタのカウント値等の回覧送信の状況に関する情報を出力し、処理を終了する。Ｓ５４において、回覧送信状況の出力の設定がなかった場合は、そのまま処理を終了する。また、Ｓ５２において、グループＩＤが設定されていなかった場合は、回覧送信ではないと判断し、Ｓ５６に進んで、通常受信の処理をし、処理を終了する。
【００７１】
上記の例では、所定の回覧先（Ｂ）から回覧元（Ａ）に回覧送信通過の通知をするときに、図５に示すように、ＳＵＢに回覧先カウンタを付加して、送信しているが、図１１に示すように、ＳＵＢに回覧先カウンタを付加するとともに、ＮＳＳにその回覧先（Ｂ）の名称を付加して、送信するようにしてもよい。なお、図１１は、図５と同様、回覧先（Ｂ）から回覧元（Ａ）へ回覧送信通過の通知をするときの送信手順の１例を示す図である。
【００７２】
また、上記の例では、図４および図５に示すように、ＳＵＢの一部を回覧先カウントとして使用しているが、図１２および図１３に示すように、ＳＩＤの少なくとも一部を回覧先カウントをして使用するようにしてもよい。なお、図１２および図１３は、図４および図５と同様、回覧元（Ａ）から最初の回覧先（Ｂ１）へ送信するときの送信手順の１例を示す図および回覧先（Ｂ）から回覧元（Ａ）へ回覧送信通過の通知をするときの送信手順の１例を示す図である。
【００７３】
さらに上記の例では、回覧先カウンタを用いて、回覧送信通過の通知を行うかどうかの判断を行っているが、回覧先（Ｂ）ごとに回覧送信通過の通知を行うかどうかの設定を行っておくようにしてもよい。
【００７４】
その場合、回覧ルートごとに、各回覧先（Ｂ）において、回覧送信通過通知がありかなしかの設定をしておく。そして、各回覧先（Ｂ）において、回覧元（Ａ）または前の回覧先（Ｂ）から画像データを受信したときに、その画像データを次の回覧先（Ｂ）に送信した後、回覧送信通過通知がありに設定されていれば、回覧元（Ａ）に対して、回覧送信通過の通知を行う。そのとき、自身の名称を送信する。他は、上記の例の場合と同様である。
【００７５】
回覧送信状況の出力は、必要に応じ、操作表示部（３）における表示および／または印字部（２）における印字等によって行われる。出力の内容は任意であるが、たとえば、次のような出力が行われる。
【００７６】
操作表示部（３）における表示の場合、回覧ルート（Ｒ）上の回覧先（Ｂ）の名称が回覧順に表示され、回覧送信通過通知のあった回覧先（Ｂ）の名称の部分に、通知があったことを示す適宜の表示がなされる。あるいは、回覧ルート（Ｒ）上の回覧先（Ｂ）の番号（回覧先カウンタのカウント値に相当）が回覧順に表示され、回覧送信通過通知のあった回覧先（Ｂ）の番号の部分に、通知があったことを示す適宜の表示がなされる。あるいは、回覧ルート（Ｒ）を図２のような形で表示して、各回覧先（Ｂ）の部分に名称および／または番号を表示し、回覧送信通過通知のあった回覧先（Ｂ）の部分に、通知があったことを示す適宜の表示がなされる。
【００７７】
印字部（２）における印字の場合、回覧送信通過通知であること、通知のあった回覧先（Ｂ）の名称および／または回覧先カウンタのカウント値、グループＩＤ等が印字される。
【図面の簡単な説明】
【図１】図１は、本発明の実施形態を示すファクシミリ装置のブロック図である。
【図２】図２は、回覧送信を行う場合のシステム構成を示す説明図である。
【図３】図３は、回覧送信の送信手順の１例を示す説明図である。
【図４】図４は、回覧元から最初の回覧先へ送信するときの送信手順の１例を示す説明図である。
【図５】図５は、回覧先から回覧元へ回覧送信通過の通知をするときの送信手順の１例を示す説明図である。
【図６】図６は、回覧元から最初の回覧先への送信処理の１例を示すフローチャートである。
【図７】図７は、回覧先における受信処理の１例を示すフローチャートである。
【図８】図８は、回覧先から次の回覧先への送信処理の１例を示すフローチャートである。
【図９】図９は、回覧先から回覧元へ回覧送信通過の通知の送信処理の１例を示すフローチャートである。
【図１０】図１０は、回覧元における回覧送信通過の通知の受信処理の１例を示すフローチャートである。
【図１１】図１１は、回覧先から回覧元へ回覧送信通過の通知をするときの送信手順の他の１例を示す説明図である。
【図１２】図１２は、回覧元から最初の回覧先へ送信するときの送信手順の他の１例を示す説明図である。
【図１３】図１３は、回覧先から回覧元へ回覧送信通過の通知をするときの送信手順のさらに他の１例を示す説明図である。
【符号の説明】
（Ａ）                      回覧元
（Ｂ１）（Ｂ２）（Ｂ３）…（Ｂｎ）      回覧先
【図１】
0003577571.tif 000002
【図２】
0003577571.tif 000003
【図３】
0003577571.tif 000004
【図４】
0003577571.tif 000005
【図５】
0003577571.tif 000006
【図６】
0003577571.tif 000007
【図７】
0003577571.tif 000008
【図８】
0003577571.tif 000009
【図９】
0003577571.tif 000010
【図１０】
0003577571.tif 000011
【図１１】
0003577571.tif 000012
【図１２】
0003577571.tif 000013
【図１３】
0003577571.tif 000014